(57)【要約】【課題】ワイヤレス入力部を利用する画像形成装置において、当該ワイヤレス入力部の位置状態を検出することにより、ワイヤレス入力部の位置状態に応じて動作を制御することにより、利用者にとって利便性の高い画像形成装置等を提供すること。【解決手段】操作部１７００と、無線により接続可能なワイヤレス入力部１８００と、ワイヤレス入力部１８００を収納する収納部とを有する画像形成装置において、ワイヤレス入力部１８００が収納部に収納されていないと検出され、かつ、ワイヤレス入力部１８００の未使用の時間が所定の判定時間を経過した場合には、ワイヤレス入力部１８００（所在報知部１８４０）に報知信号を出力する。【選択図】図２
2011068024.tif 000002
【特許請求の範囲】
【請求項１】
操作部と、無線により接続可能なワイヤレス入力部と、前記ワイヤレス入力部を収納する収納部とを有する画像形成装置において、
前記ワイヤレス入力部が収納部に収納されているか否かを検出する検出部と、
前記ワイヤレス入力部が未使用状態である時間を計時する計時部と、
前記検出部により、前記ワイヤレス入力部が前記収納部に収納されていないと検出され、かつ、前記計時部により計時されている時間が所定の判定時間を経過した場合には、前記ワイヤレス入力部に報知信号を出力する報知信号出力部と、
を備えることを特徴とする画像形成装置。
【請求項２】
前記ワイヤレス入力部は、メッセージを表示するワイヤレス表示部を有しており、
前記報知信号出力部は、前記計時部により計時されている時間が第１の判定時間を超えた場合に、前記ワイヤレス表示部に、前記ワイヤレス入力部からの入力を継続するか否かを利用者に確認するためのメッセージを報知信号に含めて出力することを特徴とする請求項１に記載の画像形成装置。
【請求項３】
前記ワイヤレス入力部は、音、光、振動の少なくとも一つの手段により所在を報知するための所在報知部を備え、
前記報知信号出力部は、前記計時部により計時されている時間が第１の判定時間より長い第２の判定時間を超えた場合に、前記所在報知部が前記ワイヤレス入力部の所在を報知する動作を行うための信号を出力することを特徴とする請求項２に記載の画像形成装置。
【請求項４】
前記操作部は、前記検出部により、前記ワイヤレス入力部が前記収納部に収納されていると検出されている場合に、操作入力が可能であることを特徴とする請求項３に記載の画像形成装置。
【請求項５】
前記計時部により計時されている時間が第２の判定時間を超え、前記報知信号出力部が、前記所在報知部に前記ワイヤレス入力部の所在を報知する動作を行うための信号を出力した場合には、前記ワイヤレス入力部の収納状態に関わらず、前記操作部は操作入力可能であることを特徴とする請求項４に記載の画像形成装置。
【請求項６】
操作部と、無線により接続可能なワイヤレス入力部と、前記ワイヤレス入力部を収納する収納部とを有する画像形成装置において実行されるプログラムであって、
前記ワイヤレス入力部が収納部に収納されているか否かを検出する検出ステップと、
前記ワイヤレス入力部が未使用状態である時間を計時する計時ステップと、
前記検出ステップにより、前記ワイヤレス入力部が前記収納部に収納されていないと検出され、かつ、前記計時ステップにより計時されている時間が所定の判定時間を経過した場合には、前記ワイヤレス入力部に報知信号を出力する報知信号出力ステップと、
を実現させるためのプログラム。
【発明の詳細な説明】
【技術分野】
【０００１】
本発明は、無線によりワイヤレス入力部が接続された画像形成装置等に関する。
【背景技術】
【０００２】
従来から、画像データに基づいて、記録用紙に画像を形成する画像形成装置が知られている。近年、画像形成装置は、画像読取部から読み取った画像を記録用紙に記録するだけでなく、例えば画像データとして記憶部に記憶したり、画像形成装置にＬＡＮ(Local Area Network）を介して接続された他の端末や、インターネット等の外部ネットワークを介して他の端末に画像データを送信したりと、いわゆる複合機と呼ばれる種々の機能が利用可能な画像形成装置が知られている。
【０００３】
ここで、複合機として利用される画像形成装置において、画像形成装置を操作するための操作部（本体操作部）として、スタートキーや、クリアキー、枚数キー等の各種機能が割り当てられた操作キーの他に、各種文字等が直接入力可能なキーボード等の入力装置を使用することが考えられる。キーボードを利用することにより、例えば画像データの送信先のアドレスを入力する場合や、画像形成装置の設定を行う場合等に利便性が向上することとなる。
【０００４】
ここで、キーボード等の入力装置と、操作するための装置を接続するためには、ケーブル（有線）を介して接続されるものと、無線を介して接続されるもの（ワイヤレス）がある（例えば、特許文献１参照）。ワイヤレスで接続されるキーボード（ワイヤレスキーボード）は、コンピュータにおいては従前から利用されており、キーボードを自由に設置し、レイアウトや利用する場所にこだわらず利用出来るといった利点があった。
【先行技術文献】
【特許文献】
【０００５】
【特許文献１】特開２０００−１０５６６１号公報
【発明の概要】
【発明が解決しようとする課題】
【０００６】
上述した特許文献１等において、ワイヤレスキーボード等と、コンピュータ等の本体装置との間では無線通信により、キーボードの状態が検出されている。しかし、ワイヤレスキーボードの所在や、本体装置に戻されたか否か等を検出することはなかった。
【０００７】
ここで、画像形成装置のように、ワイヤレスキーボード等のワイヤレス入力部の他に、画像形成装置に設けられた本体操作部を有する場合、どちらの操作入力を優先させて良いかに問題が生ずることがあった。
【０００８】
すなわち、ワイヤレス入力部が利用されている場合（画像形成装置から持ち出されている場合）、本体操作部においては操作することが出来ないとする。この場合、ワイヤレス入力部を本体に戻し忘れている場合には、本体操作部において操作ができないといった問題があった。
【０００９】
また、ワイヤレス入力部が利用されている場合に、本体操作部においても操作できることとすると、異なる利用者に操作されることとなり、適切な処理を行うことが出来ないといった問題があった。
【００１０】
上述した課題に鑑み、本発明が目的とするところは、ワイヤレス入力部を利用する画像形成装置において、当該ワイヤレス入力部の位置状態を検出することにより、ワイヤレス入力部の位置状態に応じて動作を制御することにより、利用者にとって利便性の高い画像形成装置等を提供することである。
【課題を解決するための手段】
【００１１】
上述した課題に鑑み、本発明の画像形成装置は、操作部と、無線により接続可能なワイヤレス入力部と、前記ワイヤレス入力部を収納する収納部とを有する画像形成装置において、前記ワイヤレス入力部が収納部に収納されているか否かを検出する検出部と、前記ワイヤレス入力部が未使用状態である時間を計時する計時部と、前記検出部により、前記ワイヤレス入力部が前記収納部に収納されていないと検出され、かつ、前記計時部により計時されている時間が所定の判定時間を経過した場合には、前記ワイヤレス入力部に報知信号を出力する報知信号出力部と、を備えることを特徴とする。
【００１２】
また、本発明の画像形成装置において、前記ワイヤレス入力部は、メッセージを表示するワイヤレス表示部を有しており、前記報知信号出力部は、前記計時部により計時されている時間が第１の判定時間を超えた場合に、前記ワイヤレス表示部に、前記ワイヤレス入力部からの入力を継続するか否かを利用者に確認するためのメッセージを報知信号に含めて出力することを特徴とする。
【００１３】
また、本発明の画像形成装置は、前記ワイヤレス入力部は、音、光、振動の少なくとも一つの手段により所在を報知するための所在報知部を備え、前記報知信号出力部は、前記計時部により計時されている時間が第１の判定時間より長い第２の判定時間を超えた場合に、前記所在報知部が前記ワイヤレス入力部の所在を報知する動作を行うための信号を出力することを特徴とする。
【００１４】
また、本発明の画像形成装置において、前記操作部は、前記検出部により、前記ワイヤレス入力部が前記収納部に収納されていると検出されている場合に、操作入力が可能であることを特徴とする。
【００１５】
また、本発明の画像形成装置は、前記計時部により計時されている時間が第２の判定時間を超え、前記報知信号出力部が、前記所在報知部に前記ワイヤレス入力部の所在を報知する動作を行うための信号を出力した場合には、前記ワイヤレス入力部の収納状態に関わらず、前記操作部は操作入力可能であることを特徴とする。
【００１６】
本発明のプログラムは、操作部と、無線により接続可能なワイヤレス入力部と、前記ワイヤレス入力部を収納する収納部とを有する画像形成装置において実行されるプログラムであって、前記ワイヤレス入力部が収納部に収納されているか否かを検出する検出ステップと、前記ワイヤレス入力部が未使用状態である時間を計時する計時ステップと、前記検出ステップにより、前記ワイヤレス入力部が前記収納部に収納されていないと検出され、かつ、前記計時ステップにより計時されている時間が所定の判定時間を経過した場合には、前記ワイヤレス入力部に報知信号を出力する報知信号出力ステップと、を実現させることを特徴とする。
【発明の効果】
【００１７】
本発明の画像形成装置によれば、検出部により、ワイヤレス入力部が収納部に収納されていないと検出され、かつ、計時部により計時されている時間が所定の判定時間を経過した場合には、ワイヤレス入力部に報知信号を出力することとなる。したがって、画像形成装置に収納されていない状態で、かつ、所定の判定時間を経過した場合に、ワイヤレス入力部に報知信号を出力することにより、利用者や第三者に、ワイヤレス入力部を戻し忘れていることを知らせることが可能となる。
【図面の簡単な説明】
【００１８】
【図１】本実施形態における画像形成装置の装置構成を説明するための断面図である。
【図２】本実施形態における画像形成装置の機能構成を説明するためのブロック図である。
【図３】本実施形態における判定時間テーブルのデータ構成の一例を示す図である。
【図４】本実施形態における画像形成装置の動作処理を説明するための動作フローである。
【図５】本実施形態における実施例を説明するための図である。
【図６】本実施形態における実施例を説明するための図である。
【図７】本実施形態における実施例を説明するための図である。
【図８】本実施形態における実施例を説明するための図である。
【図９】本実施形態における実施例を説明するための図である。
【図１０】本実施形態における実施例を説明するための図である。
【図１１】本実施形態における実施例を説明するための図である。
【発明を実施するための形態】
【００１９】
以下、図面を参照して本発明を実施するための最良の形態について説明する。
［１．装置構成］
図１は、本発明を適用した画像形成装置１００の構成を示すための図（断面図）である。画像形成装置１００は、外部から伝達された画像データに応じて、所定のシート（記録用紙）に対して多色及び単色の画像を形成するもので、装置本体１１０（画像形成部）と、自動原稿処理装置１２０とを備えて構成されている。また、装置本体１１０は、露光ユニット１、現像器２、感光体ドラム３、クリーナユニット４、帯電器５、中間転写ベルトユニット６、定着ユニット７、給紙カセット８１及び排紙トレイ９１等を有して構成されている。
【００２０】
装置本体１１０の上部には、画像読取装置（画像入力部）に該当するものであり、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また原稿処理装置１２０は矢印Ｍ方向に回動自在に構成され、原稿載置台９２の上を開放することにより原稿を手置きで置くことができるようになっている。
【００２１】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２２】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２３】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。
【００２４】
露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００２５】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２６】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００２７】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００２８】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００２９】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。
【００３０】
中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３１】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３２】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３３】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。
【００３４】
中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３５】
給紙カセット８１は、画像形成に使用するシート（記録用紙）を蓄積しておくためのトレイであり、装置本体１１０の露光ユニット１の下側に設けられている。また手差し給紙カセット８２にも画像形成に使用するシートを置くことができる。また、装置本体１１０の上方に設けられている排紙トレイ９１は、印刷済みのシートをフェイスダウンで集積するためのトレイである。
【００３６】
また装置本体１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００３７】
搬送ローラ１２ａ〜１２ｄは、シートの搬送を促進・補助するための小型のローラであり、用紙搬送路Ｓに沿って複数設けられている。また、ピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００３８】
［２．機能構成］
続いて、画像形成装置１００の機能構成について図２を用いて説明する。画像形成装置１００は、制御部１０００に、画像入力部１１００と、画像形成部１２００と、画像メモリ１３００と、記憶部１４００と、通信部１５００と、表示部１６００と、操作部１７００と、ワイヤレス入力部１８００と、検出部１９００とがバスを介して接続されている。
【００３９】
制御部１０００は、画像形成装置１００を制御する機能部であり、例えばＣＰＵ等の処理装置により構成されている。制御部１０００は、記憶部１４００に記憶されている各種プログラムを読み出して実行することにより、各機能を実現することとなる。
【００４０】
また、制御部１０００は、各動作間の時間を計測する計時機能を有することとする。例えば、ワイヤレス入力部１８００が利用者により操作されていない（入力されていない）時間を計時することができる。
【００４１】
画像入力部１１００は、記録用紙に記録されている原稿を読み取り、画像データを生成する機能部である。画像入力部１１００において生成された画像データは、画像メモリ１３００に一時記憶される。画像入力部１１００は、例えばスキャナ装置等により構成されており、図１に示した画像読取装置に相当する。
【００４２】
画像形成部１２００は、画像メモリ１３００に記憶された画像データ等に基づいて、記録用紙に画像を形成するための機能部である。例えば、図１に示した装置本体１１０に相当する。
【００４３】
画像メモリ１３００は、画像データを一時記憶するための領域である。画像入力部において入力された画像データや、通信部１５００により受信された画像データが記憶される。
【００４４】
記憶部１４００は、画像形成装置１００の設定状態を記憶したり、画像メモリ１３００において一時記憶された画像データを保存したりするための機能部である。ここで、記憶部１４００は、例えば、半導体メモリ、ハードディスクドライブ、光学式ディスクドライブ等のいずれかの記憶装置により構成されている。また、画像形成装置１００を動作させる為の各種データやプログラム等も記憶している。制御部１０００は、記憶部１４００に記憶されている制御プログラムを読み出して実行することにより、各種制御処理を実行する。
【００４５】
また、記憶部１４００は、判定時間テーブル１４５０が記憶されている。判定時間テーブル１４５０は、図３に示す用に、判定時間が記憶されており、本実施形態では第１判定時間（例えば、「２０秒」）と、第２判定時間（例えば、「９０秒」）とを記憶している。なお、本実施形態において判定時間は、判定時間テーブル１４５０に予め記憶されているが、利用者が設定出来るとしてもよいし、サービスマンのみが設定出来るとしてもよい。
【００４６】
通信部１５００は、画像形成装置１００をＬＡＮ（例えば、Ｅｔｈｅｒｎｅｔ（登録商標））等のネットワークや、電話回線（例えば、ＩＳＤＮ回線）等に接続するための機能部である。通信部１５００からネットワークを介して他の端末装置から画像データを受信したり、送信したりする。
【００４７】
表示部１６００は、利用者に対して各種情報を表示する機能部であり、操作部１７００は、利用者からの操作入力を受け付ける機能部である。
【００４８】
ここで、表示部１６００は、例えば液晶ディスプレイや、有機ＥＬパネル等により構成されており、操作部１７００は、例えば操作ボタン等により構成されている。また、表示部１６００と、操作部１７００とがタッチパネルとして一体に構成されていても良い。
【００４９】
ワイヤレス入力部１８００は、画像形成装置とワイヤレス通信により接続されている操作部であり、利用者により画像形成装置１００に対して各操作や指示が入力されることとなる。
【００５０】
ここで、ワイヤレス入力部１８００は、タッチパネル１８２０と、所在報知部１８４０とを備えている。タッチパネル１８２０は、各種情報を表示する表示部と、タッチパネルによる操作部とが一体に構成されている機能部である。画像形成装置１００からのメッセージを表示したり、利用者からの操作が入力されたりする。所在報知部１８４０は、画像形成装置１００からの報知信号に基づいて、ワイヤレス入力部１８００から、利用者に所在を報知するための音・光・振動等を出力する機能部である。
【００５１】
また、ワイヤレス通信の方法（プロトコル）としては、例えば赤外線通信（ＩｒＤＡ）やＢｌｕｅｔｏｏｔｈ（登録商標）、ＺｉｇＢｅｅ（登録商標）等の近距離間通信が用いられる。
【００５２】
検出部１９００は、ワイヤレス入力部１８００の位置を検出する機能部である。例えば、検出部１９００により、ワイヤレス入力部１８００が、画像形成装置から所定の位置にあるか否かを検出することが出来る。本実施形態においては、ワイヤレス入力部１８００が、画像形成装置１００に設けられた収納部に収納されているか否かを検出する。
【００５３】
検出方法としては種々の方法があるが、例えばワイヤレス入力部１８００を収納する場所に機械式のスイッチを設け、スイッチの状態に基づいてワイヤレス入力部１８００が収納されているか否かを検出しても良いし、ワイヤレス入力部と画像形成装置１００との状態をセンサ（Ｆｅｌｉｃａ（登録商標）を利用した非接触型のものや、赤外線センサによる収納状態を検出するもの等）を利用して検出しても良い。また、ワイヤレス入力部１８００とのワイヤレスの受信強度に基づいて、ワイヤレス入力部１８００の位置（収納状態）を検出してもよい。
【００５４】
［３．処理の流れ］
次に、画像形成装置における処理の流れについて、図４を用いて説明する。図４は、記憶部１４００に記憶されているプログラムを、制御部１０００が実行した場合における処理の流れについて説明した図である。
【００５５】
まず、ワイヤレス入力部１８００が本体に設けられた収納部より取り出されたか否かを判定する（ステップＳ１０２）。例えば、画像形成装置１００に設けられた収納部に設けられた検出部１９００の検出状態により、ワイヤレス入力部１８００が取り出されたか否かを判定する。ここで、ワイヤレス入力部１８００が取り出されていない場合（ステップＳ１０２；Ｎｏ）、本体の操作部１７００から操作入力を受け付ける（ステップＳ１３０）。
【００５６】
他方、ワイヤレス入力部１８００が取り出された場合（ステップＳ１０２；Ｙｅｓ）、表示部１６００に、ワイヤレス入力部から優先的に入力される旨のメッセージを表示する（ステップＳ１０４）。これにより、第三者に対してワイヤレス入力部１８００が利用中であることを示すことができる。そして、ワイヤレス入力部１８００から、入力を受け付ける（ステップＳ１０６）。
【００５７】
ここで、ワイヤレス入力部１８００の入力受付が完了していない場合には（ステップＳ１０８；Ｎｏ）、ステップＳ１０６から処理を繰り返し実行し、入力受付が完了した場合には（ステップＳ１０８；Ｙｅｓ）、ワイヤレス入力部１８００が収納されたか否かを判定する（ステップＳ１１０）。そして、ワイヤレス入力部１８００が収納された場合は（ステップＳ１１０；Ｙｅｓ）、本体の操作部１７００から入力を受け付ける（ステップＳ１３０）。
【００５８】
他方、ワイヤレス入力部１８００が収納されていない場合（ステップＳ１１０；Ｎｏ）、ワイヤレス入力部１８００の入力が完了してから、第１判定時間を経過しているか否かを判定する（ステップＳ１１２）。ワイヤレス入力部１８００が、未入力状態（未使用状態）となってから、第１判定時間経過していない場合には（ステップＳ１１２；Ｎｏ）、処理がステップＳ１０６に戻り、だい１判定時間を経過している場合には（ステップＳ１１２；Ｙｅｓ）、ワイヤレス入力部１８００の入力を継続するか否かの報知メッセージをタッチパネル１８２０に表示する（ステップＳ１１４）。他方、第１判定時間を経過していない場合には、ステップＳ１０６から処理を繰り返し実行する。
【００５９】
続いて、再度ワイヤレス入力部１８００が収納された否かを判定する（ステップＳ１１６）。ここで、ワイヤレス入力部１８００が収納された場合には、本体の操作部１７００から操作入力を受け付ける（ステップＳ１１６；Ｙｅｓ→ステップＳ１３０）。
【００６０】
他方、ワイヤレス入力部１８００が収納されていない場合（ステップＳ１１６；Ｎｏ）、ワイヤレス入力部１８００から入力受付があるか否かを判定する（ステップＳ１１８）。入力受付があった場合には、利用者が操作を継続する意思があるとみなして、ステップＳ１０６から処理を繰り返し実行する（ステップＳ１１８；Ｙｅｓ→ステップＳ１０６）。
【００６１】
他方、入力受付がない場合（ステップＳ１１８；Ｎｏ）、第２判定時間を経過したか否かを判定する（ステップＳ１２０）。第２判定時間は、判定時間テーブル１４５０に記憶されている時間であり、ステップＳ１０８において、入力完了と判定されたときからの時間、すなわち、ワイヤレス入力部１８００が未使用状態となっている時間について判定する。第２判定時間を経過していない場合には、ステップＳ１１６から処理を繰り返す（ステップＳ１２０；Ｎｏ→ステップＳ１１６）。
【００６２】
第２判定時間を経過した場合（ステップＳ１２０；Ｙｅｓ）、ワイヤレス入力部１８００から入力途中のデータが入力バッファに格納されている場合には、記憶部１４００に記憶する（ステップＳ１２２）。そして、ワイヤレス入力部１８００が収納されていないことから、ワイヤレス入力部１８００に対して、報知信号を送信する（ステップＳ１２４）。
【００６３】
ここで、報知信号は、ワイヤレス入力部１８００に対して、所在を示すための報知動作を行わせる信号である。ワイヤレス入力部１８００は、報知信号を受信するとタッチパネル１８２０に収納を促す表示を行ったり、所在報知部１８４０により所在報知動作（例えば、警告ランプを点灯したり、警告音を出力したり、振動動作を行ったりする動作）を行うこととなる。これにより、ワイヤレス入力部１８００を利用していた利用者や、ワイヤレス入力部１８００の近傍にいる第三者に対して、収納を促すことができる。
【００６４】
続いて、再度ワイヤレス入力部１８００が収納された否かを判定する（ステップＳ１２６）。ここで、ワイヤレス入力部１８００が収納された場合には、本体の操作部１７００から操作入力を受け付ける（ステップＳ１２６；Ｙｅｓ→ステップＳ１３０）。
【００６５】
他方、ワイヤレス入力部１８００が収納されていない場合（ステップＳ１２６；Ｎｏ）、本体の操作部から操作入力を受け付ける旨を表示部１６００に表示し（ステップＳ１２８）、本体の操作部から操作入力を受け付ける（ステップＳ１３０）。なお、ステップＳ１２８において、ワイヤレス入力部１８００（タッチパネル１８２０）に併せてその旨を表示することとしても良い。
【００６６】
［４．実施例］
続いて、実施例について図を用いて説明する。図５は、画像形成装置１００の外観図（斜視図）であり、操作パネル（表示部１６００及び操作部１７００）と、その下部に設けられた収納部にワイヤレス入力部１８００を収納した状態を示した図である。また、収納部には、検出部１９００が設けてあり、ワイヤレス入力部１８００が収納されているか否を検出することができる。
【００６７】
ワイヤレス入力部１８００が、操作パネルの下部の収納部に収納されると、画像形成装置１００に設けられた検出部１９００により、収納状態が検出される。この状態においては、利用者は、操作部１７００により操作入力をすることができる。
【００６８】
なお、図５では、ワイヤレス入力部１８００は収納部に収納されているので、ワイヤレス入力部１８００からの入力は出来ない状態となっている。
【００６９】
図６は、ワイヤレス入力部１８００を、画像形成装置１００の収納部から外し、入力可能な状態を示した図である。
【００７０】
ワイヤレス入力部１８００を使用することで、画像形成装置１００の前を占有して使用すること無く、さらに必要な資料を近くのデスク等に置いてその前でキー入力することが出来非常に使い勝手が良くなる。また、ワイヤレス入力部１８００を利用することにより、操作部１７００に比べて、より利便性の高い入力を行うことが出来る。
【００７１】
図７は、ワイヤレス入力部１８００について示した図である。ワイヤレス入力部１８００は、タッチパネル１８２０に、タッチパネルを利用したキーボードを表示画面Ｗ２００として表示している。また、所在報知部１８４０として、ランプが設けてあり、報知信号を受信すると、ランプが点灯／点滅したり、スピーカ（不図示）より警告音／音声が出力されたりする。
【００７２】
しかし、ワイヤレス入力部１８００を利用者が使ったまま、元に戻さず放置した場合、次の利用者が探さなくてはならないといった問題点を生ずる。そこで、持ち出された状態で所定時間、ワイヤレス入力部１８００より操作入力がない場合、操作を継続するか確認を求め、さらに相当時間たっても応答がない時は戻し忘れであると判定し、周囲の第三者にもわかるように報知を行い、ワイヤレス入力部１８００が放置状態に陥ることを未然に防ぐ。
【００７３】
図８は、ワイヤレス入力部１８００が画像形成装置１００から外された状態における画像形成装置１００の本体部における表示部１６００の表示画面Ｗ１００の一例を示した図である。メッセージＭ１００として「キーボード持ち出し中のためキーボード入力が優先されます」と表示されており、利用者に現在ワイヤレス入力部１８００の入力が有効であること、すなわち操作部１７００の入力操作ができないことを示している（図４のステップＳ１０４）。
【００７４】
図９は、図４のステップＳ１１４において、ワイヤレス入力部１８００（タッチパネル１８２０）において表示される表示画面Ｗ２１０の一例を示した図である。メッセージＭ２１０として、「キーボード操作を継続しますか？」という内容が表示されている。
【００７５】
図１０は、図４のステップＳ１２４において、ワイヤレス入力部１８００が報知信号を受信した場合におけるタッチパネル１８２０において表示される表示画面Ｗ２２０の一例を示した図である。表示画面Ｗ２２０には、メッセージＭ２２０「キーボードを戻し忘れています！」というメッセージとともに、所在報知部１８４０のランプが点滅等することにより、ワイヤレス入力部１８００の所在を利用者や、第三者に報知している。
【００７６】
図１１は、図４のステップＳ１２８において、表示部１６００において表示される表示画面Ｗ１１０の一例を示した図である。メッセージＭ１１０として、「本体キー入力受け付けます」「いずれかのキーを押して下さい」と表示されている。
【００７７】
このようなメッセージが表示部１６００や、タッチパネル１８２０に表示されることにより、画像形成装置に設けられた操作部と、ワイヤレスで接続されたワイヤレス入力部と、２つの操作入力が可能な機能部を有する場合であっても、利用者や第三者にとって利便性の高い画像形成装置を提供することが可能となる。
【００７８】
また、未使用状態であっても検討中のためにキー操作が止まっている場合もあるため、操作を継続するかどうかを尋ね、これに対しても相当期間返答がない場合をもって放置状態にあると判定することで検討や思案中による保留状態と区別することができる。
【００７９】
さらに、ワイヤレス入力部を、収納部に収納し忘れたりした場合であっても、所定時間経過後にワイヤレス入力部の所在を利用者に報知したり、本体の操作部にて操作出来るように切り替えることにより、より利便性の高い画像形成装置を提供することが可能である。
【００８０】
また、ワイヤレス入力部が戻し忘れの状態であると判定されたならば、ワイヤレス入力部が収納部に戻っていなくても、本体側の操作部を受け付ける制御に切り替え、それを本体の表示部に表示することで、ワイヤレス入力部が戻っていなくても本体側で操作入力ができることがわかり、利便性が向上する。
【００８１】
また、ワイヤレス操作部が戻し忘れの状態であると判定された場合、ワイヤレス入力部の所在を示す表示と、ワイヤレス入力部を本体に戻すように促すメッセージ表示を行うことで、所在の表示に気づいた第三者がメッセージを読んで本体収納部へ戻すことができる。
【００８２】
以上、この発明の実施形態について図面を参照して詳述してきたが、具体的な構成はこの実施形態に限られるものではなく、この発明の要旨を逸脱しない範囲の設計等も特許請求の範囲に含まれる。
【００８３】
また、上述した実施形態において、ワイヤレス入力部１８００が、収納部に収納されることとして説明したが、所定位置にあることを検出部１９００が検出してもよい。
【００８４】
例えば、画像形成装置１００の上面に載っていたり、画像形成装置１００の脇に置かれていたり等、きわめて近い位置にあれば良いとすることもできる。すなわち、ワイヤレス入力部１８００が紛失したり、第三者が見失ったりするといったことを防止できる位置にあればよく、この場合収納部を画像形成装置１００に設ける必要がなくなる。
【符号の説明】
【００８５】
１００  画像形成装置
１  露光ユニット
２  現像器
３  感光体ドラム
４  クリーナユニット
５  帯電器
６  中間転写ベルトユニット
７  定着ユニット
１０  転写ローラ
１１ａ，１１ｂ  ピックアップローラ
１３  レジストローラ
６１  中間転写ベルト
６２  中間転写ベルト駆動ローラ
６３  中間転写ベルト従動ローラ
６４  中間転写ローラ
６５  中間転写ベルトクリーニングユニット
８１  給紙カセット
８２  給紙カセット
９１  排紙トレイ
９２  原稿載置台
１１０  装置本体
１２０  原稿処理装置
１０００  制御部
１１００  画像入力部
１２００  画像形成部
１３００  画像メモリ
１４００  記憶部
１４５０  判定時間テーブル
１５００  通信部
１６００  表示部
１７００  操作部
１８００  ワイヤレス入力部
１８２０  タッチパネル
１８４０  所在報知部
１９００  検出部
【図１】
2011068024.tif 000003
【図２】
2011068024.tif 000004
【図３】
2011068024.tif 000005
【図４】
2011068024.tif 000006
【図５】
2011068024.tif 000007
【図６】
2011068024.tif 000008
【図７】
2011068024.tif 000009
【図８】
2011068024.tif 000010
【図９】
2011068024.tif 000011
【図１０】
2011068024.tif 000012
【図１１】
2011068024.tif 000013